(57)【特許請求の範囲】
【請求項１】
他の携帯無線端末との間で一定の距離内において相互に直接、無線通信によって情報を送受信でき、かつコンテンツを再生できる携帯無線端末である送信端末から、この送信端末を含む他の携帯無線端末との間で一定の距離内において相互に直接、無線通信によって情報を送受信でき、かつコンテンツを再生できる携帯無線端末である受信再生端末に、コンテンツ本体データを送信する送信工程と、
前記受信再生端末において、前記コンテンツ本体データを受信する受信工程と、
前記受信再生端末において、前記コンテンツ本体データによるコンテンツ本体の再生につき、あらかじめ定められた再生許可期間内であるか否かを判断して、再生許可期間内であるときには、コンテンツ本体の再生を実行し、再生許可期間後であるときには、コンテンツ本体の再生を制限または禁止する制御工程と、
を備え、
前記再生許可期間は、前記受信再生端末での前記コンテンツ本体データ受信後、所定時間経過するまでの期間、または、前記受信再生端末での前記コンテンツ本体データ受信後、前記送信端末と前記受信再生端末との間でネットワークが形成されなくなった時から計測して所定時間経過するまでの期間である、コンテンツ送受再生方法。
【請求項２】
前記再生許可期間後でも、前記コンテンツ本体の定められた一部の再生は可能とされている、請求項１に記載のコンテンツ送受再生方法。
【請求項３】
前記再生許可期間後でも、本来の再生品質に対して低い再生品質での前記コンテンツ本体の再生は可能とされている、請求項１または２のいずれかに記載のコンテンツ送受再生方法
【請求項４】
前記再生許可期間後でも、前記コンテンツ本体データとともに前記送信端末から送信されたコンテンツ付属情報の再生は可能とされている、請求項１〜３のいずれかに記載のコンテンツ送受再生方法。
【請求項５】
当該受信再生端末との間で一定の距離内において相互に直接、無線通信によって情報を送受信でき、かつコンテンツを再生できる携帯無線端末である送信端末との間で無線ローカルエリアネットワークが形成された状態で当該送信端末から送信されたコンテンツ本体データを受信する無線通信手段と、
前記コンテンツ本体データによってコンテンツ本体を再生する再生手段と、
前記コンテンツ本体データによるコンテンツ本体の再生につき、あらかじめ定められた再生許可期間内であるか否かを判断して、再生許可期間内であるときには、前記再生手段にコンテンツ本体の再生を実行させ、再生許可期間後であるときには、前記再生手段によるコンテンツ本体の再生を制限または禁止する制御手段と、
を備え、
前記再生許可期間は、前記受信再生端末での前記コンテンツ本体データ受信後、所定時間経過するまでの期間、または、前記受信再生端末での前記コンテンツ本体データ受信後、前記送信端末と前記受信再生端末との間でネットワークが形成されなくなった時から計測して所定時間経過するまでの期間である、受信再生端末。
【請求項６】
前記制御手段は、前記再生許可期間後でも、前記再生手段に、前記コンテンツ本体の定められた一部の再生を実行させる、請求項５に記載の受信再生端末。
【請求項７】
前記制御手段は、前記再生許可期間後でも、前記再生手段に、本来の再生品質に対して低い再生品質での前記コンテンツ本体の再生を実行させる、請求項５または６のいずれかに記載の受信再生端末。
【請求項８】
前記制御手段は、前記再生許可期間後でも、前記再生手段に、前記コンテンツ本体データとともに前記送信端末からコンテンツ付属情報の再生を実行させる、請求項５〜７のいずれかに記載の受信再生端末。
【発明の詳細な説明】
【技術分野】
【０００１】
この発明は、音楽や映像、ゲームなどのコンテンツを、送信側から受信側に送信し、受信側で再生する方法、および、その方法に用いられる受信再生端末（コンテンツ受信再生装置）に関する。
【背景技術】
【０００２】
一般のユーザが、音楽や映像、ゲームなどのコンテンツを購入して再生し、楽しむ場合、他のユーザの推薦や、コンテンツ販売元の広告などによって、コンテンツを購入するか否かを判断し、購入する場合には、ＣＤやＤＶＤを購入し、またはインターネットや携帯電話通信網を利用して、コンテンツデータを取得する。
【０００３】
そのため、楽曲などの推薦の方法として、種々の方法が提案されており、その一つとして、特許文献１（特開２００４−５４０２３号公報）には、各ユーザが、それぞれの携帯端末に、それぞれが推薦する楽曲のリストを所持し、各端末間で、その推薦楽曲リストを交換することが示されている。
【０００４】
また、特許文献２（特開２００２−３１２６０６号公報）には、ミュージックショップで、試聴用データによって試聴用の曲を再生出力し、ユーザが、その曲を聴いて試聴用データを要求したときには、その試聴用データを、ショップ側の送信装置からユーザの携帯端末に送信し、ダウンロードすることが示されている。
【０００５】
上に挙げた先行技術文献は、以下の通りである。
【特許文献１】特開２００４−５４０２３号公報
【特許文献２】特開２００２−３１２６０６号公報
【発明の開示】
【発明が解決しようとする課題】
【０００６】
しかし、特許文献１などに示されている方法によって他のユーザから楽曲を推薦されても、楽曲そのものを聴かないと、その楽曲が自分の好みのものであるか否かや、その楽曲を購入するか否かを、判断しかねることも多い。
【０００７】
また、特許文献２に示されている方法によれば、ユーザは、試聴用データを容易に取得することができるが、それによって試聴用の曲を聴いても、試聴用の曲は楽曲本体（本来の楽曲）の一部であるため、同様に、楽曲本体を購入するか否か、判断しかねることがある。
【０００８】
さらに、近くで友人などが聴いている音楽を自分も、その場で自分の端末で聴きたいという要求もある。
【０００９】
そこで、ユーザが、他のユーザの端末から、試聴用データではなく、楽曲本体のデータを受信し、自分の端末で楽曲本体を聴くことができれば、好適である。
【００１０】
しかし、他のユーザから楽曲本体のデータを取得して自分の端末に保存することは、著作権上、問題がある。
【００１１】
そこで、この発明は、ユーザが他のユーザから楽曲本体などのコンテンツ本体のデータを容易に取得し、楽曲本体などのコンテンツ本体をフルに視聴できるとともに、著作権の保護も図ることができるようにしたものである。
【課題を解決するための手段】
【００１２】
この発明のコンテンツ送受再生方法は、
他の携帯無線端末との間で一定の距離内において相互に直接、無線通信によって情報を送受信でき、かつコンテンツを再生できる携帯無線端末である送信端末から、この送信端末を含む他の携帯無線端末との間で一定の距離内において相互に直接、無線通信によって情報を送受信でき、かつコンテンツを再生できる携帯無線端末である受信再生端末に、コンテンツ本体データを送信する送信工程と、
前記受信再生端末において、前記コンテンツ本体データを受信する受信工程と、
前記受信再生端末において、前記コンテンツ本体データによるコンテンツ本体の再生につき、あらかじめ定められた再生許可期間内であるか否かを判断して、再生許可期間内であるときには、コンテンツ本体の再生を実行し、再生許可期間後であるときには、コンテンツ本体の再生を制限または禁止する制御工程と、
を備えることを特徴とする。
【００１３】
上記のコンテンツ送受再生方法では、受信再生端末において、送信端末から送信されたコンテンツ本体データによってコンテンツ本体を再生することができるが、そのコンテンツ本体の再生は、受信再生端末でのコンテンツ本体データ受信後、送信端末と受信再生端末との間でネットワークが形成されなくなるまでの期間や、受信再生端末でのコンテンツ本体データ受信後、所定時間経過するまでの期間など、あらかじめ定められた再生許可期間内に制限される。
【００１４】
したがって、コンテンツについての著作権の保護が図られるとともに、ユーザは、単に他のユーザからコンテンツを推薦され、またはコンテンツ販売元などから提供された試視聴用データによって試視聴できるだけでなく、コンテンツ本体をフルに視聴することができる。
【００１５】
特に、友人同士が近くにいるとき、一方の者から他方の者に楽曲データを送信することによって、同じ音楽を二人で共有し、その場で一緒に聴くことができ、楽しみを共有することができる。
【発明の効果】
【００１７】
以上のように、この発明によれば、ユーザは他のユーザから楽曲本体などのコンテンツ本体のデータを容易に取得し、楽曲本体などのコンテンツ本体をフルに視聴できるとともに、著作権の保護も図ることができる。
【発明を実施するための最良の形態】
【００１８】
［１．システム構成：図１］
図１は、この発明の通信システムの一例を示す。
【００１９】
この例の通信システムは、送信端末１および受信再生端末２によって構成される。
【００２０】
送信端末１は、受信再生端末２のユーザＡとは別のユーザＢのものとして、受信再生端末２と同様に、後述のように、他の無線端末（携帯無線端末）との間で、一定の距離内において相互に直接、アドホック無線通信やインフラストラクチャ無線通信などによって情報を送受信できる無線端末（携帯無線端末）である。したがって、この場合、「送信端末」「受信再生端末」というのは、２つの端末を区別するための便宜的な呼称である。以下、この場合の通信システムを、ユーザ間システムと称する。
【００２１】
サービス提供者Ｘが送信端末１を音楽ショップや街角などに固定スポットとして設置することも考えられる。この場合、送信端末１は、無線通信によって、情報を送信できるだけでなく、情報を受信できるものとするが、基本的な機能としては、後述のように、受信再生端末２にコンテンツ本体データやコンテンツ付属情報を送信するものである。以下、この場合の通信システムを、サービスシステムと称する。
【００２２】
ユーザ間システムは、特許請求の範囲に記載された発明に属するのに対して、サービスシステムは、特許請求の範囲に記載された発明に属さないが、以下では、両者の通信システムにつき示す。いずれの通信システムでも、受信再生端末２が送信端末１に対して（送信端末１が受信再生端末２に対して）一定の距離内に入ると、送信端末１と受信再生端末２との間で無線ＬＡＮ３が形成され、送信端末１から受信再生端末２に、コンテンツ本体データ、またはコンテンツ本体データおよびコンテンツ付属情報が送信される。受信再生端末２では、その送信されたコンテンツ本体データによってコンテンツ本体を再生することができる。
【００２３】
ただし、後述のように、コンテンツ本体には、あらかじめ再生許可期間が定められている。コンテンツ本体が再生許可期間内であれば、音楽や映像、ゲームなどのコンテンツ本体を、そのまま全部、再生することができる。しかし、コンテンツ本体が再生許可期間経過後であると、コンテンツ本体の再生は制限または禁止される。再生許可期間とは、言い換えると、受信再生端末２、または受信再生端末２が受信したコンテンツ本体データが、所定の再生許可条件を満たしている期間のことである。
【００２４】
コンテンツ本体は、１曲分（ある時間分）の楽曲、ある時間分の動画、ある枚数分の静止画などである。
【００２５】
コンテンツ付属情報は、コンテンツ本体に付随または関連する情報で、コンテンツ本体が楽曲である場合には、当該楽曲の試聴用の音楽データ、当該楽曲のアーチストに関する情報、当該楽曲を含むプレイリストの情報、当該楽曲に対するリコメンデーション情報、送信側ユーザＢの当該楽曲に対する嗜好を示す情報、当該楽曲に関するリンク情報、当該楽曲に関連するジャケット写真情報などの画像情報、サービス提供者Ｘ側の当該楽曲についての広告の情報、および、再生許可期間後は当該楽曲の一部を試聴用に提供する場合における試聴用の部分を指定する情報などであり、コンテンツ本体が映像である場合も、同様のテキスト情報、画像データ、音楽データなどである。
【００２６】
［２．受信再生端末の例：図２］
図２に、受信再生端末（コンテンツ受信再生装置）２の一例を示す。
【００２７】
この例の受信再生端末２は、ＣＰＵ１１を備え、そのバス１２に、プログラムやデータが書き込まれたＲＯＭ１３、プログラムやデータが展開されるＲＡＭ１４、およびタイマー１５が接続される。
【００２８】
また、バス１２には、インタフェース１６を介して記録媒体１７が接続され、インタフェース１８を介して操作入力部１９が接続される。記録媒体１７は、ハードディスクやフラッシュメモリなどで、当該の受信再生端末２を特定する装置ＩＤ（識別子）、プログラム、楽曲データや映像データなどのコンテンツ本体データ、およびコンテンツ付属情報などの情報（データ）などが記録される。操作入力部１９は、ユーザＡが当該の受信再生端末２に対して操作や入力を行うものである。
【００２９】
また、バス１２には、音声処理部２１を介して、スピーカやヘッドフォンなどの音声出力部２２が接続され、表示制御部２３を介して、液晶ディスプレイなどの表示部２４が接続される。音声出力部２２からは、再生された音楽や、音声アナウンスなどが出力され、表示部２４には、再生された映像や、操作入力用、設定用または呈示用の画面であるＧＵＩ（Ｇｒａｐｈｉｃａｌ  Ｕｓｅｒ  Ｉｎｔｅｒｆａｃｅ）などが表示される。
【００３０】
例えば、動画を再生する場合には、ＣＰＵ１１が、音声データを音声処理部２１に供給し、画像データを表示制御部２３に供給し、それぞれ音声処理部２１および表示制御部２３が音声および画像を再生する。ゲームを再生する場合には、ＣＰＵ１１が音声データおよび画像データをそれぞれ音声処理部２１および表示制御部２３に供給することにより、音声および画像が再生されるとともに、それ以外の必要な処理はＣＰＵ１１が行う。このため本明細書では、ＣＰＵ１１、音声処理部２１および表示制御部２３を合わせて、再生手段２５とする。
【００３１】
さらに、バス１２には、無線通信部２６を介してアンテナ２７が接続されるとともに、インターネットなどのネットワーク９に接続するための外部インタフェース２９が接続される。無線通信部２６およびアンテナ２７は、上記の近距離無線通信（一定の距離内での直接の無線通信）を行うものである。
【００３２】
さらに、受信再生端末２は、同時に携帯電話端末としての機能を備えるものとすることができる。
【００３３】
図１の例の通信システムがユーザ間システムである場合、送信端末１は、以上のような受信再生端末２と同様に構成する。
【００３４】
すなわち、ユーザ間システムでは、ユーザＢの送信端末１も、ユーザＡの受信再生端末２も、それぞれ、一方で送信端末として、相手端末にコンテンツ本体データを送信でき、他方で受信再生端末として、相手端末から送信されたコンテンツ本体データを受信し、コンテンツ本体を再生できるように構成する。
【００３５】
図１の例の通信システムがサービスシステムである場合には、送信端末１は、受信再生端末２との間の近距離無線通信によって、サービス提供者Ｘが保有管理するコンテンツ本体データやコンテンツ付属情報を受信再生端末２に送信するものとする。
【００３６】
［３．コンテンツ送受再生方法：図３〜図１１］
（３−１．再生許可期間：図３）
送信端末１から受信再生端末２に送信されたコンテンツ本体データによって、受信再生端末２でコンテンツ本体を、そのまま全部、再生できるのは、定められた再生許可期間内とする。具体的に、再生許可期間は、以下のように定める。
【００３７】
＜第１の方法＞
第１の方法では、コンテンツ本体データ受信後、送信端末１と受信再生端末２との間でネットワークが形成されなくなるまでの期間を、再生許可期間とする。
【００３８】
この方法では、コンテンツ本体データ受信後、受信再生端末２が送信端末１に対して一定の距離内に留まり、送信端末１と受信再生端末２との間でネットワークが形成されている限り、受信再生端末２は、送信端末１から受信したコンテンツ本体データによってコンテンツ本体を、そのまま全部、再生することができる。
【００３９】
受信再生端末２では受信したコンテンツ本体データを記録媒体１７に記録するようにシステムを構成することもできるが、送信端末１から受信再生端末２にコンテンツ本体データをストリーミング送信し、そのコンテンツ本体データによって受信再生端末２でコンテンツ本体を再生するようにシステムを構成してもよい。
【００４０】
ネットワークの形成については、送信端末１と受信再生端末２との間で定期的に検出用信号などの信号を送受信し、受信再生端末２または送信端末１で、その信号の受信電界強度またはエラーレートを検出して、送信端末１と受信再生端末２との間でネットワークが形成されているか否かを判断するように、システムを構成することができる。
【００４１】
図３に、その方法の一例を示す。曲線４は、送信端末１と受信再生端末２との間の距離の、時間の経過に伴う変化を示す。距離Ｄ１は、送信端末１と受信再生端末２との間で無線通信が可能な最大距離である。
【００４２】
時点ｔ１において、受信再生端末２が送信端末１に対して、距離Ｄ１より幾分小さい距離Ｄ２の位置まで接近すると、送信端末１から受信再生端末２にコンテンツ本体データが送信され、受信再生端末２はコンテンツ本体を再生できるように、システムを構成する。
【００４３】
この状態から、時点ｔ２において、受信再生端末２が送信端末１に対して、距離Ｄ３（Ｄ２＜Ｄ３＜Ｄ１）の位置に遠ざかると、上記の信号の受信電界強度が閾値以下となり、エラーレートが閾値以上となることによって、送信端末１と受信再生端末２との間でネットワークが形成されなくなる（形成されなくなった）ものとして、コンテンツ本体の再生が制限または禁止されるように、システムを構成する。
【００４４】
送信端末１で受信電界強度またはエラーレートを検出する場合には、上記のように送信端末１と受信再生端末２との間でネットワークが形成されなくなったとき、送信端末１から受信再生端末２に、コンテンツ本体の再生を制限または禁止する信号を送信して、受信再生端末２のＣＰＵ１１に、受信再生端末の再生を制限または禁止させる。
【００４５】
受信再生端末２のユーザＡ、またはユーザ間システムの場合における送信端末１のユーザＢの操作によって、送信端末１と受信再生端末２との間の通信が遮断されたときには、受信再生端末２が送信端末１に対して一定の距離内に留まっていても、再生許可期間後とされる。
【００４６】
再生許可期間後はコンテンツ本体の再生を禁止する場合に、受信したコンテンツ本体データを記録媒体１７に記録する場合、受信再生端末２では、上記のように送信端末１と受信再生端末２との間の通信が遮断されたときを含めて、送信端末１と受信再生端末２との間でネットワークが形成されなくなったときには、そのコンテンツ本体データを記録媒体１７から消去する。
【００４７】
ただし、コンテンツ本体データを消去することなく、受信再生端末２が送信端末１から遠ざかった後、再び同じ送信端末１に接近したときや、送信端末１と受信再生端末２との間の通信が遮断された後、再び同じ送信端末１と受信再生端末２との間で通信が実行されたときには、送信端末１から受信再生端末２に同じコンテンツ本体データを送信することなく、受信再生端末２で記録媒体１７に記録されているコンテンツ本体データによって、再び同じコンテンツ本体を再生できるように、システムを構成してもよい。
【００４８】
＜第２の方法＞
第２の方法では、コンテンツ本体データ受信後、所定時間が経過するまでの期間を、再生許可期間とする。
【００４９】
すなわち、例えば、コンテンツ本体データ受信後、３時間は、送信端末１と受信再生端末２との間でネットワークが形成されているか否かにかかわらず、受信再生端末２では、送信端末１から受信したコンテンツ本体データによってコンテンツ本体を、そのまま全部、再生できるようにし、コンテンツ本体データ受信後、３時間が経過したときには、送信端末１と受信再生端末２との間でネットワークが形成されているか否かにかかわらず、コンテンツ本体の再生を制限または禁止する。
【００５０】
所定時間、例えば３時間は、受信再生端末２のタイマー１５に設定され、受信再生端末２のＣＰＵ１１は、コンテンツ本体データ受信時、タイマー１５をセットし、その後、タイマー１５がタイムアウトしたか否かによって、所定時間、例えば３時間が経過したか否かを判断する。
【００５１】
受信再生端末２では、受信したコンテンツ本体データを記録媒体１７に記録し、再生許可期間後はコンテンツ本体の再生を禁止する場合には、上記の所定時間が経過した時、そのコンテンツ本体データを記録媒体１７から消去する。
【００５２】
＜第３の方法＞
第３の方法では、コンテンツ本体データ受信後、送信端末１と受信再生端末２との間でネットワークが形成されなくなった時から計測して所定時間が経過するまでの期間を、再生許可期間とする。
【００５３】
すなわち、コンテンツ本体データ受信後の、送信端末１と受信再生端末２との間でネットワークが形成されている期間、および、送信端末１と受信再生端末２との間でネットワークが形成されなくなった後の、例えば１時間の期間を、再生許可期間とする。
【００５４】
送信端末１と受信再生端末２との間でネットワークが形成されているか否かは、第１の方法で示した方法と同様の方法で検出することができる。
【００５５】
所定時間、例えば１時間は、受信再生端末２のタイマー１５に設定され、受信再生端末２のＣＰＵ１１は、ユーザＡまたはＢの操作によって送信端末１と受信再生端末２との間の通信が遮断されたときを含めて、送信端末１と受信再生端末２との間でネットワークが形成されなくなったとき、タイマー１５をセットし、その後、タイマー１５がタイムアウトしたか否かによって、所定時間、例えば１時間が経過したか否かを判断する。
【００５６】
＜第４の方法＞
第４の方法では、コンテンツ本体データ受信後、受信再生端末２で、そのコンテンツ本体を所定回数再生するまでの期間を、再生許可期間とする。
【００５７】
すなわち、例えば、コンテンツ本体データ受信後、５回までは、送信端末１と受信再生端末２との間でネットワークが形成されているか否かにかかわらず、受信再生端末２では、送信端末１から受信したコンテンツ本体データによってコンテンツ本体を、そのまま全部、再生できるようにし、６回目以降は、送信端末１と受信再生端末２との間でネットワークが形成されているか否かにかかわらず、コンテンツ本体の再生を制限または禁止する。
【００５８】
＜第５の方法＞
上記の第１〜第４の方法以外に、コンテンツ本体データ受信後の、送信端末１と受信再生端末２との間でネットワークが形成されている期間、および、送信端末１と受信再生端末２との間でネットワークが形成されなくなった後、受信再生端末２で、そのコンテンツ本体を所定回数再生するまでの期間を、再生許可期間とすることができる。
【００５９】
（３−２．送信端末および受信再生端末の通信処理：図４）
上述した第１〜第５の方法のいずれにおいても、図１の例の通信システムでは、受信再生端末２が送信端末１に対して一定の距離内に入ると、送信端末１および受信再生端末２は、相互に相手端末を発見し、コンテンツ本体データを送信するか否かを確認して、送信するときには、送信端末１から受信再生端末２に、コンテンツ本体データ、またはコンテンツ本体データおよびコンテンツ付属情報を送信する。
【００６０】
図４に、このような送信端末１および受信再生端末２が行う通信処理の一例を示す。
【００６１】
この例の通信処理では、送信端末１および受信再生端末２が起動された状態において、送信端末１は、ステップ３１で、受信再生端末（相手端末）を検索し、発見したか否かを判断し、受信再生端末２は、ステップ４１で、送信端末（相手端末）を検索し、発見したか否かを判断する。
【００６２】
そして、受信再生端末２が送信端末１に対して一定の距離内に入ることによって、送信端末１が受信再生端末２を発見し、受信再生端末２が送信端末１を発見すると、送信端末１は、ステップ３２に進み、受信再生端末２は、ステップ４２に進んで、それぞれ通信ネゴシエーションを行う。
【００６３】
具体的に、ユーザ間システムでは、そのときのユーザＢ，Ａの操作に基づいて、または事前の設定に基づいて、例えば、送信端末１から受信再生端末２に、「“Ｔａｒｏ”の新曲“Ｗｅ  ａｒｅ  ｔｈｅ  ｓｕｎ”聴きませんか」というようなメッセージを送信し、受信再生端末２から送信端末１に、「聴かせてください」というようなメッセージを送信する。また、サービスシステムでは、送信端末１から受信再生端末２に、「“Ｔａｒｏ”の新曲“Ｗｅ  ａｒｅ  ｔｈｅ  ｓｕｎ”を紹介します」というようなメッセージを送信する。
【００６４】
ステップ３２での通信ネゴシエーション後、送信端末１は、ステップ３３に進んで、受信再生端末２にコンテンツ本体データ、またはコンテンツ本体データおよびコンテンツ付属情報を送信し、ステップ４２での通信ネゴシエーション後、受信再生端末２は、ステップ４３に進んで、送信端末１から送信されたコンテンツ本体データ、またはコンテンツ本体データおよびコンテンツ付属情報を受信する。
【００６５】
さらに、送信端末１は、ステップ３４で通信継続の確認処理を行い、ステップ３５で通信が遮断されたか否かを判断し、通信が遮断されていなければ、ステップ３４に戻るが、通信が遮断されたときには、受信再生端末２との通信を終了する。
【００６６】
受信再生端末２も、ステップ４４で通信継続の確認処理を行い、ステップ４５で通信が遮断されたか否かを判断し、通信が遮断されていなければ、ステップ４４に戻るが、通信が遮断されたときには、送信端末１との通信を終了する。
【００６７】
再生許可期間につき上記の第２の方法を用いる場合、受信再生端末２のＣＰＵ１１は、ステップ４３でコンテンツ本体データを受信したとき、タイマー１５をセットする。
【００６８】
再生許可期間につき上記の第３の方法を用いる場合、受信再生端末２のＣＰＵ１１は、上記のように送信端末１と受信再生端末２との間でネットワークが形成されなくなったとき、またはステップ４５で通信が遮断されたと判断したとき、タイマー１５をセットする。
【００６９】
（３−３．コンテンツ本体データ受信後の再生処理：図５）
図５に、コンテンツ本体データ受信後に受信再生端末２が行う再生処理の一例を示す。この例は、コンテンツ本体が楽曲（コンテンツ本体データが楽曲データ）の場合である。
【００７０】
この例の受信楽曲再生処理では、ユーザＡの再生指示（楽曲データがストリーミング送信される場合にはＣＰＵ１１の判断）によって処理を開始して、まずステップ５１で、再生許可期間内であるか否かを判断する。再生許可期間は、上記の第１〜第５の方法のいずれかによる。
【００７１】
そして、再生許可期間内であれば、ステップ５１からステップ５２に進んで、当該の楽曲を再生し、さらにステップ５３に進んで、ユーザＡの再生停止指示があるか否かを判断し、再生停止指示がなければ、さらにステップ５４に進んで、楽曲エンドに達したか否かを判断し、楽曲エンドに達していなければ、ステップ５１に戻って、再生許可期間内であるか否かを判断し、再生許可期間内であれば、ステップ５２に進んで、当該の楽曲の再生を継続する。
【００７２】
再生停止指示があったときには、ステップ５３からステップ５６に進んで、再生を停止する。楽曲エンドに達したときにも、ステップ５４からステップ５６に進んで、再生を停止する。
【００７３】
一方、ステップ５１で再生許可期間後と判断したときには、ステップ５５に進んで、表示部２４に、再生許可期間を過ぎているため再生できない旨を表示し、さらにステップ５６に進んで、再生を停止する。
【００７４】
ステップ５５では、再生許可期間を過ぎているため再生できない旨を、音声アナウンスによってユーザＡに呈示するようにしてもよい。
【００７５】
再生許可期間後は、コンテンツ本体を、そのまま全部、再生することはできないが、以下に示すように、コンテンツ本体の一部や、コンテンツ付属情報は、再生することができるように、システムを構成することが望ましい。
【００７６】
（３−４．コンテンツ本体が楽曲の場合：図６）
コンテンツ本体が楽曲の場合、再生許可期間内であれば、図６（Ａ）に示すように、時間長Ｔｃの１曲分の楽曲の、開始点Ｓ０から終了点Ｅ０までの全体を、そのままの音質、すなわち受信した楽曲データによる本来の音質で、再生することができる。
【００７７】
これに対して、再生許可期間後は、第１の例として、図６（Ｂ）に示すように、楽曲の一部のみを、そのままの音質で再生できるようにする。
【００７８】
試聴用として提供される音楽データは、楽曲の開始点から４５秒後の点から７５秒後の点までの３０秒間の部分のデータであることが多いので、楽曲の再生可能な一部は、例えば、図６（Ｂ）に示すように、楽曲の開始点から４５秒後の点Ｓ１から７５秒後の点Ｅ１までの部分とする。
【００７９】
第２の例として、再生許可期間後は、図６（Ｃ）に示すように、楽曲全体を、本来の音質に対して音質を落として再生できるようにする。音質を落とす方法としては、ＣＰＵ１１の処理によって、楽曲データのビットレートを下げ、またはノイズを重畳する、などの方法を用いることができる。
【００８０】
第３の例として、再生許可期間後は、図６（Ｄ）に示すように、楽曲付属情報（コンテンツ付属情報）のみを再生できるようにする。
【００８１】
例えば、楽曲付属情報として、上記のジャケット写真情報などの画像情報が、楽曲データ（コンテンツ本体データ）とともに送信され、記録媒体１７に記録される場合、その画像情報によって、表示部２４に画像を表示できるようにする。
【００８２】
第４の例として、再生許可期間後は、図６（Ｅ）に示すように、楽曲の再生に先立って、楽曲付属情報である上記の広告情報を再生してから、コンテンツ本体の楽曲全体を、そのまま再生できるようにする。
【００８３】
第１〜第４の例の２つ以上を組み合わせることもできる。楽曲の一部を再生できるとともに、楽曲付属情報も再生できるようにする、などである。
【００８４】
（３−５．楽曲の一部または楽曲付属情報を再生する場合の処理：図７および図８）
＜３−５−１．楽曲の一部を再生する場合：図７＞
図７に、再生許可期間につき上記の第１の方法を用い、かつ再生許可期間後は楽曲の一部のみを再生できる場合に、楽曲データ受信後に受信再生端末２が行う再生処理の一例を示す。
【００８５】
この例の受信楽曲再生処理では、ユーザＡの再生指示によって処理を開始して、まずステップ６１で、同一ネットワーク内であるか否かを、すなわち送信端末１と受信再生端末２との間でネットワークが形成されているか否かを判断する。
【００８６】
そして、同一ネットワーク内であれば、図５に示した受信楽曲再生処理において再生許可期間内であるときの一場合として、ステップ６１からステップ６２に進んで、当該の楽曲を再生し、さらにステップ６３に進んで、ユーザＡの再生停止指示があるか否かを判断し、再生停止指示がなければ、さらにステップ６４に進んで、楽曲エンドに達したか否かを判断し、楽曲エンドに達していなければ、ステップ６１に戻って、同一ネットワーク内であるか否かを判断し、同一ネットワーク内であれば、ステップ６２に進んで、当該の楽曲の再生を継続する。
【００８７】
再生停止指示があったときには、ステップ６３からステップ６５に進んで、再生を停止する。楽曲エンドに達したときにも、ステップ６４からステップ６５に進んで、再生を停止する。
【００８８】
一方、送信端末１と受信再生端末２との間でネットワークが形成されなくなり、ステップ６１で同一ネットワーク内ではないと判断したときには、ステップ７１に進んで、表示部２４での表示、または音声アナウンスによって、ネットワークが切断された（送信端末と切断された）ため、楽曲全体を再生することができず、楽曲の一部のみを再生することができる旨を呈示して、ユーザＡの指示を待つ。
【００８９】
次に、ステップ７２に進んで、楽曲の一部の再生の指示があるか否かを判断し、指示があれば、ステップ７３に進んで、図６（Ｂ）に示したような楽曲の一部を再生し、さらにステップ７４に進んで、ユーザＡの再生停止指示があるか否かを判断し、再生停止指示がなければ、さらにステップ７５に進んで、楽曲の一部のエンドに達したか否かを判断し、エンドに達していなければ、ステップ７３に戻って、当該の一部の再生を継続する。
【００９０】
再生停止指示があったときには、ステップ７４からステップ６５に進んで、再生を停止する。楽曲の一部のエンドに達したときにも、ステップ７５からステップ６５に進んで、再生を停止する。
【００９１】
ステップ７２で楽曲の一部の再生の指示がないと判断したときには、そのままステップ６５に進んで、再生を停止する。
【００９２】
なお、ステップ６１で同一ネットワーク内ではないと判断したとき、ユーザＡの指示を待つことなく、楽曲の一部の再生を開始するように構成してもよい。
【００９３】
＜３−５−２．楽曲付属情報を再生する場合：図８＞
図８に、再生許可期間につき上記の第１の方法を用い、かつ再生許可期間後は楽曲付属情報のみを再生できる場合に、楽曲データ受信後に受信再生端末２が行う再生処理の一例を示す。この場合の楽曲付属情報は、上記のジャケット写真情報などの静止画データとする。
【００９４】
この例の受信楽曲再生処理では、ユーザＡの再生指示によって処理を開始して、まずステップ６１で、同一ネットワーク内であるか否かを、すなわち送信端末１と受信再生端末２との間でネットワークが形成されているか否かを判断する。
【００９５】
同一ネットワーク内であれば、以後の処理は、ステップ６２〜６５で示すように、図７の場合と同じである。
【００９６】
一方、送信端末１と受信再生端末２との間でネットワークが形成されなくなり、ステップ６１で同一ネットワーク内ではないと判断したときには、ステップ８１に進んで、表示部２４での表示、または音声アナウンスによって、ネットワークが切断された（送信端末と切断された）ため、楽曲を再生することができず、楽曲付属情報の静止画のみを再生することができる旨を呈示して、ユーザＡの指示を待つ。
【００９７】
次に、ステップ８２に進んで、楽曲付属情報（静止画）の再生の指示があるか否かを判断し、指示があれば、ステップ８３に進んで、楽曲付属情報（静止画）を再生し、さらにステップ８４に進んで、ユーザＡの再生停止指示があるか否かを判断し、再生停止指示がなければ、ステップ８３に戻って、楽曲付属情報（静止画）の再生を継続する。
【００９８】
再生停止指示があったときには、ステップ８４からステップ６５に進んで、再生を停止する。ステップ８２で楽曲付属情報（静止画）の再生の指示がないと判断したときには、そのままステップ６５に進んで、再生を停止する。
【００９９】
なお、ステップ６１で同一ネットワーク内ではないと判断したとき、ユーザＡの指示を待つことなく、楽曲付属情報（静止画）を再生するように構成してもよい。
【０１００】
（３−６．コンテンツ本体が映像の場合：図９および図１０）
コンテンツ本体が動画の場合、再生許可期間内であれば、図９（Ａ）に示すように、時間長Ｔｃの動画全体を、そのままの画質、すなわち受信した映像データによる本来の画質で、再生することができる。
【０１０１】
これに対して、再生許可期間後は、一例として、図９（Ｂ）に示すように、動画の一部のみを、そのままの画質で再生できるようにする。
【０１０２】
別の例として、再生許可期間後は、図９（Ｃ）に示すように、映像付属情報（コンテンツ付属情報）のみを再生できるようにする。
【０１０３】
さらに、再生許可期間後は、コンテンツ本体としての動画または静止画を、本来の画質に対して画質を落として再生できるようにしてもよい。
【０１０４】
例えば、本来は、図１０（Ａ）に示すように、画像サイズが相対的に大きい場合、再生許可期間後は、図１０（Ｂ）に示すように、画像サイズを縦方向および横方向にそれぞれ１／２に縮小して再生する。
【０１０５】
画質を落とす方法としては、そのほか、画像データの圧縮率を上げ、コントラストや明るさを下げ、またはノイズを重畳する、などの方法を用いることもできる。
【０１０６】
（３−７．コンテンツ本体がゲームコンテンツの場合：図１１）
コンテンツ本体がゲームコンテンツの場合、再生許可期間内であれば、図１１（Ａ）に示すように、ゲーム全体を、そのままの機能で実行することができる。
【０１０７】
これに対して、再生許可期間後は、一例として、図１１（Ｂ）に示すように、特定の段階（レベル）までを実行できるようにする。
【０１０８】
別の例として、再生許可期間後は、図１１（Ｃ）に示すように、登場するキャラクタや乗り物などの操作対象の機能や能力が制限された状態でゲームを実行できるようにしてもよい。例えば、ロールプレイングタイプのゲームであれば、キャラクタが持つことのできる武器の数を制限し、カーレースタイプのゲームであれば、車の速度やコースを制限するなどである。
【０１０９】
［４．他の実施形態］
送信端末１は受信再生端末２に対して何度でもコンテンツ本体データを送信することができるようにしてもよい。
【０１１０】
また、コンテンツ本体データを受信したことのある受信再生端末２に対しては、同じコンテンツ本体データを送信することができないようにしてもよい。この場合、送信端末１がコンテンツ本体データを受信した受信再生端末２の履歴をデータとして保持しておき、受信再生端末２に対してコンテンツ本体データを送信する際に、この履歴を参照することによって、同一のコンテンツ本体データを一度送信したことのある受信再生端末２に対する再送を禁止し、または逆に、受信再生端末２が送信端末１から受信したコンテンツ本体データの履歴をデータとして保持しておき、送信端末１からコンテンツ本体データを受信する際に、この履歴を参照することによって、受信再生端末２が一度受信したことのあるコンテンツ本体データの受信を禁止するようにする。
【０１１１】
このように同一の受信再生端末に対しては同一のコンテンツ本体データを送信することができないように送信端末１または受信再生端末２を構成することによって、コンテンツの著作権をより確実に保護することができる。
【０１１２】
また、上述した一連の処理は、ソフトウェアにより実行することもできる。そのソフトウェアは、そのソフトウェアを構成するプログラムが専用のハードウェアに組み込まれているコンピュータにより、または各種のプログラムをコンピュータにインストールすることにより、各種の機能を実行することが可能であり、例えば、記録媒体から汎用のパーソナルコンピュータなどにインストールされてもよく、またはインターネットを介してサーバからダウンロードすることによりインストールされてもよい。
【図面の簡単な説明】
【０１１５】
【図１】この発明の通信システムの一例を示す図である。
【図２】この発明の受信再生端末の一例を示す図である。
【図３】ネットワークの形成についての説明に供する図である。
【図４】各端末が行う通信処理の一例を示す図である。
【図５】受信楽曲再生処理の一例を示す図である。
【図６】楽曲再生の制限または禁止の一例を示す図である。
【図７】受信楽曲再生処理の一例を示す図である。
【図８】受信楽曲再生処理の一例を示す図である。
【図９】映像再生の制限または禁止の一例を示す図である。
【図１０】映像再生の制限の一例を示す図である。
【図１１】コンテンツ本体がゲームコンテンツである場合の再生制限の一例を示す図である。
【符号の説明】
【０１１６】
主要部については図中に全て記述したので、ここでは省略する。
【図１】
0004843449.tif 000002
【図２】
0004843449.tif 000003
【図３】
0004843449.tif 000004
【図４】
0004843449.tif 000005
【図５】
0004843449.tif 000006
【図６】
0004843449.tif 000007
【図７】
0004843449.tif 000008
【図８】
0004843449.tif 000009
【図９】
0004843449.tif 000010
【図１０】
0004843449.tif 000011
【図１１】
0004843449.tif 000012